(57)【要約】【課題】主電源、およびサブ電源を備えたＵＳＢ機器において、スタンバイ状態における消費電力を低減する。【解決手段】主電源、サブ電源、ＵＳＢインターフェイス部についての電源切替手段と、サブ電源の電圧を判定する判定手段と、ＵＳＢインターフェイス部の電圧を検出する検出手段と、判定手段の判定結果と、検出手段の検出結果により、電源切替手段を切り替える。【選択図】      図１
2004185194.tif 000002
【特許請求の範囲】
【請求項１】
ホストコンピュータから電力供給を可能とするＵＳＢインターフェイス部と、主電源部と、二次電池のいずれから電力供給をうけて動作する記録装置であって、
前記ＵＳＢインターフェイス部に入力される電力の有無を検出するインターフェイス電力検出手段と、
前記二次電池の出力電圧を検出し、前記出力電圧が所定電圧より高いか否かを判定する二次電池電圧判定手段と、
前記主電源、前記二次電池、前記ＵＳＢインターフェイス部のいずれか切り替えを行う電源切替手段と、
前記電源切替手段に前記主電源から前記二次電池に切り替える第１切り替え処理を行わせた後、前記二次電池電圧判定手段に前記出力電圧の判定処理を行わせ、前記出力電圧が前記所定電圧より低ければ、前記インターフェイス電力検出手段に前記電力の有無の検出処理を行わせ、前記電力が有りであれば、前記電源切替手段に、前記二次電池から前記ＵＳＢインターフェイス部に切り替える第２切り替え処理を行わせる制御手段と
を備えることを特徴とする記録装置。
【発明の詳細な説明】
【０００１】
【発明の属する技術分野】
本発明は、ＵＳＢインターフェイスを通してホストコンピュータに接続して動作を行う記録装置に関する。
【０００２】
【従来の技術】
パーソナルコンピュータ等においては入力装置（例えば、キーボードやマウス等）を操作しない時間が所定時間続いた場合、コンピュータが使用してない状態であると判断し、ＣＲＴモニタを低消費電力モードに切り替えて装置の消費電力を抑制している。
【０００３】
これと同様にＵＳＢインターフェイスを通してホストコンピュータに接続して使用する電子機器装置（例えばプリンタやスキャナ等）においてもある一定時間ホストコンピュータとの間で通信が行われていない場合には、低消費電力モードに切り替えて装置の消費電力を抑制している。
【０００４】
例えばインクジェットプリンタ装置のスタンバイ時おける省電力化について具体的に説明する。
【０００５】
まずインクジェットプリンタ装置の制御システムの構成について説明する。
【０００６】
図２はインクジェットプリンタ装置の制御システムの構成を示すブロック図である。
【０００７】
このブロック図において、１０１はホストコンピュータで、所定のＯＳに基づいてシステムプログラムが各種アプリケーションプログラムの実行状態を管理しており、プリンタに画像データを送信するためのプリンタ制御プログラム（プリンタドライバ）はこのシステムプログラム上で動作する。
【０００８】
１０２はインクジェットプリンタで１０３はインクジェットプリンタ１０２のシステム制御部である。
【０００９】
１０４はホストコンピュータ１０１からの画像データを取り込むためのインターフェイスでパラレル（セントロＩ／Ｆ）あるいはシリアル（ＵＳＢＩ／Ｆ）のインターフェイスが使われる。
【００１０】
１０５はプリンタを印字可能状態にするための起動スイッチや印字可能状態になったことを目視で分かるようにするための発光ＬＥＤを載せたオペレーション部である。
【００１１】
１０６はＣＰＵ、１０７はＣＰＵ１０６が実行する制御プログラムを格納するプログラムＲＯＭ、１０８は各種データ（前記画像データやヘッドに転送する印字データ等）を一時的に置くためのダイナミックＲＡＭ（ＤＲＡＭ）である。１０９はホストコンピュータ１０１からの画像データを印字データに変換し、その印字データを記録ヘッド１１０に転送する制御を行うシステム制御ＩＣである。
【００１２】
１１１は記録ヘッド１１０を搬送するためのキャリアモータ、１１２は記録紙搬送のための紙搬送モータである。
【００１３】
１１３、１１４はキャリアモータ１１１、紙搬送モータ１１２を駆動するためのモータドライバで、印字動作を行うときに紙面上に画像が形成されるようシステム制御ＩＣ２１０により印字データ処理とともに制御している。
【００１４】
１１５はシステム制御部１１３、記録ヘッド１１０、モータドライバ１１３，１１４を駆動するための電力を供給するためのメイン電源である。
【００１５】
プリンタ装置１０２内の電力制御はシステム制御ＩＣ１０９にて行っており、印字動作が終了してスタンバイ状態になった後、ある一定時間オペレーション部１０５へのキー入力がなかったり、さらにホストコンピュータ１０１との間で通信がない場合は、プリンタ装置１０２自体を低消費電力モードに移行するよう各部を制御する。例えば、記録ヘッド１１０や各種センサ類への電力を切断する、ＣＰＵ１０６やシステム制御ＩＣ１０９内部の動作クロックを低速にする、あるいは停止するなどして、ＣＰＵ１０６やシステム制御ＩＣ１０９自体の低消費電力化を行う。（但し、オペレーション部１０５からのキー入力やホストコンピュータ１０１から送信されてくるデータの検出を可能な状態にはしておく必要はある）また更なる低消費電力化を図るためには、メイン電源１１５に対しても装置へ供給する駆動電力をＣＰＵ１０６やシステム制御ＩＣ１０９等が動作する程度の最小限のレベルに切り替えるよう、システム制御ＩＣ１０９からメイン電源１１５へ制御信号を送るようにしている場合もある。
【００１６】
プリンタ装置１０２がこうした低消費電力モードで待機している間に、オペレーション部１０５からのキー入力、あるいはホストコンピュータ１０１からのデータを受信したならば、まず始めにＣＰＵ１０６やシステム制御ＩＣ１０９を低消費電力モードから通常モードに移行し、次にメイン電源１１５も正規の駆動電力が出力されるように、そして各種センサや記録ヘッド１１０にも電力が入力されるようにシステム制御ＩＣ１０９にて制御する。その後プリンタ装置１０２への前記アクションに対して所定の動作を行うようにしている。
【００１７】
さらに、省電力化のために装置にメイン電源とは別にサブ電源として充放電可能な二次電池を持たしたものもあり、例えば装置がスタンバイ状態になった時に装置への電力供給をメイン電源ではなくサブ電源によって行うことで、メイン電源が消費する電力をほぼゼロにする場合もある。こうしたサブ電源が二次電池使用の場合は時間の経過とともに、二次電池が放電し電圧値が低下する。
【００１８】
また、ＵＳＢ機器における省電力化について特開平１１―３０５８８０号公報に記載のように、ここではホストコンピュータの電源がＯＦＦの時においてもホストコンピュータからの送信が再開される場合を想定して機器内部の制御部に対して電力が常に供給される。
【００１９】
【特許文献１】
特開平１１−３０５８８０号公報
【００２０】
【発明が解決しようとする課題】
しかしながら、上記インクジェットプリンタ装置では従来例のようにスタンバイ時においてある程度の省電力化が図られていたが、産業界において電子機器の待機（スタンバイ）時の消費エネルギー削減の動きが活発になっていることから、今後より一層の省電力化を進めていかねければならない。こうした要求に応えていくには、例えば装置で使用している各種ＩＣや回路ブロックなどをスタンバイ時の消費電力が少ないタイプのものに変更していくことや、あるいはメイン電源がスタンバイ時に消費している電力を今のもの以上に削減していくといった手段が考えられる。しかし、このための開発期間やコスト上昇という課題も考えられる。
【００２１】
また、サブ電源を利用した省電力化においても、サブ電源が出力する電圧値が、装置が動作するために必要な電圧値まで低下した場合に、メイン電源から電力供給を行うため、メイン電源から見た場合の装置が消費する電力を常にゼロにするためには、上述した構成だけでは困難である。
【００２２】
さらに、ＵＳＢ機器では、ホストコンピュータの電源がＯＦＦの時において、ＵＳＢ機器の消費電力を削減することを可能にしているが、ホストコンピュータの電源がＯＮの状態においては、機器の制御部に対して通常の電力が供給されているようになるため、ホストコンピュータの電源がＯＮの時では機器がスタンバイ状態である場合において低消費電力化が図れない構成になっている。
【００２３】
【課題を解決するための手段】
本発明は、上記目的を達成するために、ホストコンピュータから電力供給を可能とするＵＳＢインターフェイス部と、主電源部と、二次電池のいずれから電力供給をうけて動作する記録装置であって、前記ＵＳＢインターフェイス部に入力される電力の有無を検出するインターフェイス電力検出手段と、前記二次電池の出力電圧を検出し、前記出力電圧が所定電圧より高いか否かを判定する二次電池電圧判定手段と、前記主電源、前記二次電池、前記ＵＳＢインターフェイス部のいずれか切り替えを行う電源切替手段と、前記電源切替手段に前記主電源から前記二次電池に切り替える第１切り替え処理を行わせた後、前記二次電池電圧判定手段に前記出力電圧の判定処理を行わせ、前記出力電圧が前記所定電圧より低ければ、前記インターフェイス電力検出手段に前記電力の有無の検出処理を行わせ、前記電力が有りであれば、前記電源切替手段に、前記二次電池から前記ＵＳＢインターフェイス部に切り替える第２切り替え処理を行わせる制御手段とを備える。
【００２４】
【発明の実施の形態】
【実施例】
以下、図面を参照して本発明の実施例を詳細に説明する。
【００２５】
まず、本発明の実施例に関係するホストコンピュータ及び電子機器（ここではインクジェットプリンタ装置を例に挙げる）の制御システムの構成について説明する。
【００２６】
図１は、本発明の実施例に関係するホストコンピュータ及びインクジェットプリンタ装置の制御システムの構成を示すブロック図である。図１において、２０１はホストコンピュータで所定のＯＳに基づいてシステムプログラムが各種アプリケーションプログラムの実行状態を管理している。このシステムプログラム上で動作するプリンタ制御プログラム（プリンタドライバ）は、各種アプリケーションプログラム上で作成された画像データをプリンタ装置２０２へ出力するためのものである。
【００２７】
２０３はプリンタ装置２０２のシステム制御部でありプリンタ装置２０２内の各部分を制御している。
【００２８】
２０４はＵＳＢ規格に準拠したプロトコルによって情報の送受信が可能なＵＳＢ制御部であり、その内部にはホストコンピュータとのデータ通信を制御するＵＳＢコントローラ２０５、ＵＳＢインターフェイスのＶ  ｂｕｓ  ＋５Ｖ端子を通してホストコンピュータからの電力供給がされているかどうかを検出するための電力検出手段２０６を有している。
【００２９】
２０７はＣＰＵであり、２０８はＣＰＵ２０７が実行する各制御プログラムを格納するプログラムＲＯＭ、２０９はＤＲＡＭで画像データや記録ヘッドに転送する印字データを一時的に置くための記憶手段である。
【００３０】
２１０はシステム制御ＩＣ２１０であり、主にホストコンピュータ２０１からの画像データを印字データに変換しその印字データを記録ヘッドに転送するといった印字データ制御や記録ヘッドから紙面上にインクを吐出するための記録ヘッド内のヒーター駆動制御、印字画像を形成するのに必要となる各種モータのドライバＩＣを制御するためのモータ駆動制御、システム内の時間管理（ある特定した時間をセットし、その時間が経過する毎にＣＰＵ２０７に対して割り込み処理を行う）を行うためのタイマー制御を行う。
【００３１】
２１１はプリンタを印字可能状態（ＯＮ  ＬＩＮＥ）にするための起動スイッチや印字可能状態になったことを目視で分かるようにするための発光ＬＥＤを載せたオペレーション部である。
【００３２】
２１２は記録ヘッドである。２１３は記録ヘッド２１２を搬送するためのキャリアモータ、２１４は記録紙搬送のための紙搬送モータである。
【００３３】
２１５、２１６はキャリアモータ２１３、紙搬送モータ２１４を駆動するためのモータドライバである。
【００３４】
２１７はプリンタ装置２０２内のメイン電源でありプリンタ装置２０２内の各部分に駆動電力を供給している。またメイン電源２１７は外部からの電源制御信号により駆動電力の供給、停止を可能にしている。
【００３５】
２１８はサブ電源であり、二次電池を備えている。このサブ電源はプリンタ装置２０２がスタンバイ状態の時にシステム制御部２０３に電力の供給を可能にしている。また、電圧値が低下した場合にはメイン電源２１７やＵＳＢインターフェイスからの電源により充電を行うようにしている。サブ電源の電圧値の監視はシステム制御ＩＣ２１０にて行っている。
【００３６】
２１９は電源制御手段でシステム制御ＩＣ２１０からの制御信号により、メイン電源２１７からの電力供給の出力／停止といったメイン電源２１７の制御を行う。また、ＵＳＢインターフェイスを通じてホストコンピュータ２０１から供給される５ボルト（５Ｖ）電源、メイン電源２１７からの５Ｖ電源、サブ電源２１８からの５Ｖ電源の３つの電源を切り替えて、システム制御部２０３に出力する制御も行っている。
【００３７】
次に本発明の実施例に関係するメイン電源２１７について詳しく説明する。本発明の実施例ではメイン電源としてスイッチング電源を使用する。
【００３８】
図３は、本発明の実施例に関係するメイン電源２１７の詳細を示す回路構成図である。
【００３９】
まず、ＡＣ入力がフィルタ回路３０１、整流回路３０２及び平滑回路３０３を経て絶縁トランス３０４に供給され、ＦＥＴ３０５によりスイッチングされる。
絶縁トランス３０４は、一次側巻線３０６、二次側巻線３０７、補助巻線３０８で構成されている。ＦＥＴ３０５は抵抗３０８を介して発振制御回路３０９に接続されている。発振制御回路３０９は絶縁トランス３０４の一次側の発振制御を行うＩＣであって、その電源Ｖｄｄは補助捲線３１０により供給される。絶縁トランス３０４の二次側巻線３０６からは第１及び第２の整流・平滑回路３１１、３１２を介してモータ駆動電源ＶＭ、印字ヘッド駆動電源ＶＨ、システムロジック電源ＶＤＤを各ブロックに供給する。
【００４０】
さらに、第１の整流・平滑回路３１１には電流検出回路３１３が接続され、また第１及び第２の整流・平滑回路３１１、３１２には過電圧検出回路３１４が接続されている。
【００４１】
そして、これら電流検出回路３１３及び過電圧検出回路３１４の出力信号はフォトカプラ３１５、３１６を介して発振制御回路３０９にフィードバックされる。
【００４２】
また、発振制御回路３０９は二次側電流によりＰＷＭ制御が行なわれ、過電圧検出回路３１４により過電圧が検出されたときは、ＶＭ、ＶＨ，ＶＤＤを遮断するように構成されている。
【００４３】
電源制御信号は、フォトカプラ３１７を介して発振制御回路３０９に入力される。すなわち、電源制御信号がローレベルのときはトランジスタ３１８がオンしてフォトカプラ３１７に電流が流れる。そして、フォトカプラ３１７は電流電圧変換を行って発振制御回路３０９の入力ポートＩＮ１にローレベル信号を入力し、次いで前記ローレベル信号に基づいて発振制御回路３０９の出力ポートＯＵＴ１が発振するため、一次側がＦＥＴ３０５を介して発振し、二次側に電力を供給する。
【００４４】
一方、電源制御信号がハイレベルのときはトランジスタ３１８がオフするため、発振制御回路３０９の入力ポートＩＮ１にはハイレベル信号が入力される。前記ハイレベル信号により発振制御回路３０９の出力ポートＯＵＴ１は発振せずＦＥＴ３０５はオフし、一次側の発振を停止させて二次側への電力の供給を停止するのである。
【００４５】
尚、３１９〜３２１は電流制限用の抵抗、３２２、３２３は分圧抵抗であり、フォトカプラ３１７は一次側及び二次側の絶縁も行う。
【００４６】
次に実施例に関係する電子機器（ここではプリンタ装置）の動作についてさらに詳しく説明する。
【００４７】
図４は、プリンタ装置２０２が電源ＯＮ（ＡＣ電源入力）してからスタンバイ時におけるパワーキーＯＦＦ状態での低消費電力モード（パワーキーＯＦＦ＿０Ｗスタンバイ状態）に移行するまでの動作についてのフローチャートである。
【００４８】
プリンタ装置２０２はホストコンピュータとＵＳＢインターフェイスを介して接続されている状態にある。
【００４９】
まず、図４（ａ）において、プリンタ装置２０２の主電源２１７にＡＣ電源が投入される（Ｓ１）と、電源制御手段２１８からの電源制御信号はデフォルトがローレベル信号（“Ｌ”出力）であるので発振制御回路３０９は動作する。また、電源制御手段２１８はシステム制御ＩＣ２１０からの制御信号のデフォルトが主電源２１７からの電力をシステム制御部２０３に入力するように設定されている（Ｓ２）ため、主電源２１７から受けたシステム用の５ボルト出力を電源制御手段２１８を通してシステム制御部２０３の各ブロックへ供給する。モータ駆動用電源、ヘッド駆動用電源も主電源２１７から供給することが可能な状態になっている。
【００５０】
システム制御部２０３に電源が供給されるとＣＰＵ２０７、システム制御ＩＣ２１０がイニシャライズ処理を開始し（Ｓ３）、終了後キー入力待ち状態（パワーキーＯＦＦ＿スタンバイ状態）となる（Ｓ４）。このときシステム制御ＩＣ２１０ではタイマー処理をスタートさせ（Ｓ５）、ある一定時間Ｔ１（例えば１分間）経過するまでタイムカウントを行う。
【００５１】
Ｔ１時間内にオペレーション部２１１上にあるパワーキーが押下された場合は、オペレーション部２１１からオン信号が出力され（Ｓ７）、それがシステム制御ＩＣ２１０の入力ポートに入力される。システム制御ＩＣ２１０がパワーキーＯＮ入力を検出すると、記録ヘッド、および各種モータのイニシャライズ等のパワーＯＮ処理シーケンスを行い（Ｓ８）、終了後オペレーション部２１１上のパワーＬＥＤを点灯させる（Ｓ９）。その後ホストコンピュータ２０１からのデータ受信待ちおよびキー入力待ち状態となる（Ｓ１０）（パワーキーＯＮ＿スタンバイ状態）。
【００５２】
Ｔ１時間以上、オペレーション部２１１へのキー入力がなかった場合には、図４（ｂ）で説明すると、システム制御ＩＣ２１０はタイマー処理終了後、システム制御ＩＣ２１０自身とＣＰＵ２０７、ＵＳＢ制御部２０４の動作クロックを低速にする（Ｓ１１）。この動作クロックの低減（動作クロックの周波数を下げる）により、システム制御部の消費電力を低減できる。次に、５Ｖ電源供給をメイン電源からサブ電源に切り替える（電源制御手段２１９に対して前記システム制御部２０３への電源供給を前記メイン電源２１７から前記サブ電源２１８へ切り替えて行うための切替制御信号を送る）（Ｓ１２）。
【００５３】
その後、ハイレベルの電力制御信号をメイン電源２１７に送り（Ｓ１３）、５Ｖ電源、モータ駆動用電源、ヘッド駆動用電源の全ての電源出力を停止する（Ｓ１４）。
【００５４】
こうして、プリンタ装置２０２は低消費電力モード“パワーキーＯＦＦ＿０Ｗスタンバイ状態”に移行し（Ｓ１５）、スタンバイ時におけるメイン電源２１７から見たプリンタ装置２０２の消費電力をメイン電源２１７の１次側で消費する値（ほぼ０Ｗに近い値）にすることができる。
【００５５】
この状態で、システム制御ＩＣ２１０はサブ電源２１８の電圧値の監視を行う（Ｓ１６）が、もしサブ電源２１８の電圧値が、システム制御部２０３が動作できる最低電圧値まで低下したと認識した場合（ＹＥＳ）には、まず電力検出手段２０６にてＵＳＢインターフェイス２０４を通してホストコンピュータ２０１からプリンタ装置２０２へ電力供給がされているかどうか確認する（Ｓ１７）。
【００５６】
電力検出手段２０６からの電力検出信号を確認できたのであれば（ＹＥＳ）、電源制御手段２１９に対して切替制御信号を送り、システム制御部２０３への５Ｖ電源供給をサブ電源２１８からＵＳＢインターフェイス２０４に切り替える（Ｓ１８）。
【００５７】
このとき、システム制御部２０３の消費電力はＵＳＢ規格に準じた電源供給量（５００ｍＡ以下）になるようにしている。
【００５８】
また、システム制御部２０３への５Ｖ電源供給をＵＳＢインターフェイスから行っている場合に、同時にサブ電源に対しても電源供給して充電を行っているが、Ｓ１９にてサブ電源の出力電圧値がシステム制御部２０３を動作するのに十分な所定の電圧値（約５Ｖ）もしくはそれ以上になったと、システム制御ＩＣが認識した場合（ＹＥＳ）には、電源制御手段に対してシステム制御部２０３への５Ｖ電源供給をＵＳＢインターフェイスから前記サブ電源に切り替えるために、切替制御信号を出力する（Ｓ２０）。
【００５９】
このように、低消費電力モードではシステム制御部２０３への５Ｖ電源供給をサブ電源、ＵＳＢインターフェイス交互に行うことで５Ｖ電源供給をＵＳＢインターフェイスから行っている時間を少しでも短くして、ホストコンピュータ２０１が消費する電力をできる限り少なくしているのである。
【００６０】
さらに、プリンタ装置２０２の５Ｖ電源をホストコンピュータ２０１から供給している場合でも、そのときはホストコンピュータ２０２の消費電力はその分大きくなってしまうが、プリンタ装置２０２のメイン電源２１７を駆動させて供給するのに比べて、ホストコンピュータ２０１の１つの電源からプリンタ装置２０２を含めたシステム全体に電力供給したほうが電力消費の効率が良くなるため、システム全体の消費電力は低くなるのである。
【００６１】
ちなみにこの“パワーキーＯＦＦ＿０Ｗスタンバイ状態”ではシステム制御ＩＣ２１０はオペレーション部２１１からのキー入力の検出、電源制御手段２１９への電源切替信号とメイン電源出力信号の送信、電力検出手段２０６からの電力検出信号の監視は可能な状態にしている。
【００６２】
従って、オペレーション部２１１からのキー入力の検出が検出されれば“パワーキーＯＮ＿スタンバイ状態”に移行する。
【００６３】
また、電力検出手段２０６からの電力検出信号が検出されない状態（ホストコンピュータ電源ＯＦＦあるいはＵＳＢインターフェイスケーブル取り外しの場合）になった（Ｓ１７でＮＯ）ならば、システム制御ＩＣ２１０は電源制御手段２１９に対して指示を出し、ローレベルの電力制御信号をメイン電源２１８に出力する（Ｓ２１）。メイン電源は電力の出力を再開する（Ｓ２２）。さらに、システム制御部２０３への５Ｖ電源供給をメイン電源２１８から行うよう切替制御信号を送信して（Ｓ２３）、“パワーキーＯＦＦ＿スタンバイ状態”に移行する（Ｓ２４）。
【００６４】
図５（ａ）、（ｂ）は、プリンタ装置２０２が“パワーキーＯＮ＿スタンバイ状態”から低消費電力モード“パワーキーＯＮ＿０Ｗスタンバイ状態”に移行するまでの装置の動作についてのフローチャートである。
【００６５】
まず、システム制御ＩＣ２１０は、ＡＣ電源投入後オペレーション部２１１のパワーキーが押下されて、プリンタ装置２０２が“パワーキーＯＮ＿スタンバイ状態”になった直後にタイマー処理をスタートさせ（Ｓ３２）、所定時間Ｔ２（例えば５分間）経過するまでタイムカウントを行う。
【００６６】
Ｔ２時間以上経過しても、ホストコンピュータ２０１からデータ信号が受信されない場合（Ｓ３３にてＹＥＳ）には、システム制御ＩＣ２１０はタイマーを停止した後、システム制御ＩＣ２１０とＣＰＵ２０７、ＵＳＢ制御部２０４の動作クロックを低速にする（Ｓ３４）。これにより、システム制御部の消費電力を低減できる。
【００６７】
次に、電源制御手段２１９に対してシステム制御ＩＣは指示を出し、システム制御部２０３への電源供給を、前記メイン電源２１７から前記サブ電源２１８へ切り替える（Ｓ３５）。その後、ハイレベルの電力制御信号をメイン電源２１７に送る（Ｓ３６）ことで、５Ｖ電源、モータ駆動用電源、ヘッド駆動用電源の全ての電源出力を停止する（Ｓ３７）。
【００６８】
こうして、プリンタ装置２０２は、低消費電力モード“パワーキーＯＮ＿０Ｗスタンバイ状態”に移行し（Ｓ３８）、パワーＯＮ時のスタンバイにおけるメイン電源２１７から見たプリンタ装置２０２の消費電力をほぼ０Ｗに近い値にすることができる。
【００６９】
この“パワーキーＯＮ＿０Ｗスタンバイ状態”は“パワーキーＯＦＦ＿０Ｗスタンバイ状態”同様、メイン電源２１８一次側の発振制御回路３０９のＦＥＴへの出力が発振しておらず、二次側への電力の供給を停止している状態であるため、２つのスタンバイ状態におけるメイン電源２１７からみると、プリンタ装置２０２の消費電力は同じレベルである。
【００７０】
また、システム制御部２０３への５Ｖ電源供給に関しても、“パワーキーＯＦＦ＿０Ｗスタンバイ状態”同様に、システム制御ＩＣ２１０によりサブ電源、ＵＳＢインターフェイスを交互に切り替えながら行う。システム制御部２０３へ５Ｖ電源供給をＵＳＢインターフェイスから行っている場合には、システム制御部２０３の消費電力はＵＳＢ規格に準じた電源供給量（５００ｍＡ以下）になるようにしている。
【００７１】
また、この“パワーキーＯＮ＿０Ｗスタンバイ状態”ではシステム制御ＩＣ２１０はホストコンピュータ２１０からのデータ信号の監視、オペレーション部からのキー入力の検出、電源制御手段２１９への電源切替信号とメイン電源出力制御信号の送信、電力検出手段２０６からの電力検出信号の監視は可能な状態にしている。
【００７２】
ホストコンピュータ２０１からの信号、あるいはコマンドが入力されれば、システム制御部２０３への電源供給をメイン電源２１８に切り替えるように、システム制御ＩＣ２１０が電源制御手段２１９に対して、電源切替信号を送る。
【００７３】
そして、システム制御ＩＣ２１０とＣＰＵ２０７、ＵＳＢ制御部２０４の動作クロック信号を通常動作状態（動作用の周波数）に戻して、ホストコンピュータ２０１からの画像データを印字データ（記録データ）に変換し、記録ヘッドや各種モータを制御して紙面上に正確に印字を行う印字動作シーケンスを実行するようプリンタ装置２０２を制御する。
【００７４】
また、“パワーキーＯＮ＿０Ｗスタンバイ状態”からパワーＯＦＦにするためにパワーキーが押下された場合は、オペレーション部２１１からのパワーキー信号がシステム制御ＩＣ２１０に認識されて“パワーキーＯＦＦ＿スタンバイ状態”に移行する。
【００７５】
さて、電力検出手段２０６からの電力検出信号が検出されない状態（ホストコンピュータの電源がＯＦＦ状態、あるいはＵＳＢインターフェイスケーブル取り外しされて、電源検出手段からの検出信号が低下した場合。Ｓ４１でＮＯ）は、システム制御ＩＣ２１０が、電源制御手段２１９に対して切り替え信号を出力する。これにより、電源供給は、サブ電源からメイン電源に切り替えられる（Ｓ４７）。
【００７６】
図６は、プリンタ装置２０２の印字動作（記録動作）が終了してから、スタンバイ時における低消費電力モードに移行するまでの制御のフローチャートである。
【００７７】
プリンタ装置２０２の印字動作シーケンスが終了すると、システム制御ＩＣ２１０はタイマー処理をスタートさせ（Ｓ６１）、ある一定時間Ｔ２（例えば５分間）経過するまでタイムカウントを行う。
【００７８】
時間Ｔ２を経過して、ホストコンピュータから新たなデータ信号が受信されない場合（Ｓ６３にてＹＥＳ）には、システム制御ＩＣ２１０はタイマー停止後、システム制御ＩＣ２１０自身とＣＰＵ２０７、ＵＳＢ制御部２０４内部の動作クロックを低速にする（Ｓ６４）。次に、電源制御手段２１９に対して、システム制御部２０３への電源供給を前記メイン電源２１７から前記サブ電源２１８へ切り替えて行うための切替制御信号を出力し（Ｓ６５）、ハイレベルの電力制御信号をメイン電源２１７に送って（Ｓ６６）、５Ｖ電源、モータ駆動用電源、ヘッド駆動用電源の全ての電源出力を停止させる（Ｓ６７）。
【００７９】
このように、プリンタ装置２０２は低消費電力モード“パワーキーＯＮ＿０Ｗスタンバイ状態”に移行する（Ｓ６８）。
【００８０】
プリンタ装置２０２がシステム制御部２０３への５Ｖ電源供給をＵＳＢインターフェイス２０４による５Ｖ電源から行う低消費電力モード（“パワーキーＯＮ＿０Ｗスタンバイ状態”あるいは“パワーキーＯＦＦ＿０Ｗスタンバイ状態”）にある時、ホストコンピュータ２０１からサスペンド信号が送られてきた場合において、プリンタ装置が消費する電力をＵＳＢの電源供給の規格である５００μＡ以下にするよう、更なる低消費電力化を図るようにしている。図７はこの場合のプリンタ装置２０２の動作について説明したフローチャートである。
【００８１】
プリンタ装置２０２が低消費電力モード状態（“パワーキーＯＮ＿０Ｗスタンバイ状態”あるいは“パワーキーＯＦＦ＿０Ｗスタンバイ状態”、Ｓ７１）である場合、システム制御ＩＣ２１０、ＣＰＵ２０７、ＵＳＢ制御部２０４の内部動作クロックは低速クロックで動作している。
【００８２】
ホストコンピュータ２０１からサスペンド信号が送られてきた場合（Ｓ７２にてＹＥＳ）は、まずＵＳＢコントローラ２０５にてその信号を認識し、サスペンド情報をシステム制御ＩＣ２１０に伝える。
【００８３】
次に、システム制御ＩＣ２１０は、システム制御ＩＣ２１０自身とＣＰＵ２０７の内部動作クロックを停止させ、ＵＳＢ制御部２０４に対してはホストコンピュータ２０１から送られてくるレジューム信号を認識できるよう内部動作クロックは低速のままにする（Ｓ７３）。
【００８４】
また、ホストコンピュータ２０１が供給する電力を少しでも軽減するため、この時サブ電源２１８へ電源供給は停止する（Ｓ７４）。
【００８５】
このような状態が、スタンバイ時におけるプリンタ装置２０２が消費する電力が最も低くなるモード“最低消費電力モード”であり、システム制御部２０３が消費する電力を５００μＡ以下にしている。
【００８６】
この最低消費電力モードでは、内部動作クロックは停止しているが、システム制御ＩＣ２１０はＵＳＢコントローラ２０５からのレジューム信号の監視、オペレーション部２１１からのキー入力の検出、電源制御手段２１９への電力検出手段２０６からの電力検出信号の監視は可能な状態である（Ｓ７５）。
【００８７】
例えば、ホストコンピュータ２０１からレジューム信号が送られてきた場合（Ｓ７６にてＹＥＳ）は、まずＵＳＢ制御部２０４内のＵＳＢコントローラ２０６にてレジューム信号を送信されてきたことを認識し、その情報をシステム制御ＩＣ２１０に伝える。
【００８８】
そして、システム制御ＩＣ２１０、ＣＰＵ２０７を低速動作にする（Ｓ７７）。さらに、サブ電源２１８への電源供給の再開して低消費電力モード状態に移行する（Ｓ７８）。
【００８９】
また、オペレーション部２１１からのキー入力の検出が検出されれば、“最低消費電力モード”に移行する前の低消費電力モード時の状態が“パワーキーＯＮ＿０Ｗスタンバイ状態”であれば、“パワーキーＯＦＦ＿スタンバイ状態”に移行する。あるいは、“最低消費電力モード”に移行する前の低消費電力モード時の状態が“パワーキーＯＦＦ＿０Ｗスタンバイ状態”であれば“パワーキーＯＮ＿スタンバイ状態”に移行する。
【００９０】
さらに、電力検出手段２０６からの電力検出信号が検出されない状態（ホストコンピュータ電源ＯＦＦあるいはＵＳＢインターフェイスケーブル取り外しの場合）になったならば、システム制御ＩＣ２１０が電源制御手段２１９に対してローレベルの電力制御信号をメイン電源２１８に送って、メイン電源２１８からの全ての出力が可能になるようメイン電源出力制御信号を送信し、さらにシステム制御部２０３への５Ｖ電源供給をメイン電源２１８に切り替えて行うよう切替制御信号を送って“最低消費電力モード”に移行する前の低消費電力モード時の状態が“パワーキーＯＮ＿０Ｗスタンバイ状態”であれば、“パワーキーＯＮ＿スタンバイ状態”に、“パワーキーＯＦＦ＿０Ｗスタンバイ状態”であれば“パワーキーＯＦＦ＿スタンバイ状態”に移行するのである。
【００９１】
図８は、本実施例で説明したインクジェットプリンタ装置の斜視図である。１００５は記録ヘッドであり、キャリッジ１００４上に搭載されてシャフト１００３に沿って長手方向に往復運動可能となっている。記録ヘッドより吐出されたインクは、記録ヘッドと微小な間隔をおいて、プラテン１００１に記録面を規制された被記録材１００２に到達し、その上に画像を形成する。
【００９２】
記録ヘッドには、フレキシブルケーブル１０１９を介して画像データに応じて吐出信号が供給される。なお、１０１４はキャリッジ１００４をシャフト１００３に沿って走査させるためのキャリッジモーターである。１０１３はモーター１０１４の駆動力をキャリッジ１００４に伝達するワイヤである。また、１０１８はプラテンローラー１００１に結合して被記録材１００２を搬送させるための搬送モーターである。
【００９３】
以上のように、本発明の実施態様の例を以下に列挙する。
【００９４】
［実施態様１］
ホストコンピュータから電力供給を可能とするＵＳＢインターフェイス部と、主電源部と、二次電池のいずれから電力供給をうけて動作する記録装置であって、前記ＵＳＢインターフェイス部に入力される電力の有無を検出するインターフェイス電力検出手段と、前記二次電池の出力電圧を検出し、前記出力電圧が所定電圧より高いか否かを判定する二次電池電圧判定手段と、前記主電源、前記二次電池、前記ＵＳＢインターフェイス部のいずれか切り替えを行う電源切替手段と、前記電源切替手段に前記主電源から前記二次電池に切り替える第１切り替え処理を行わせた後、前記二次電池電圧判定手段に前記出力電圧の判定処理を行わせ、前記出力電圧が前記所定電圧より低いければ、前記インターフェイス電力検出手段に前記電力の有無の検出処理を行わせ、前記電力が有りであれば、前記電源切替手段に、前記二次電池から前記ＵＳＢインターフェイス部に切り替える第２切り替え処理を行わせる制御手段とを備えることを特徴とする記録装置。
【００９５】
［実施態様２］
前記制御手段は、前記第２切り替え処理の後、前記前記二次電池電圧判定手段に前記二次電池の判定処理を行わせ、前記出力電圧が前記所定電圧より高ければ、前記電源切替手段に、前記ＵＳＢインターフェイス部から前記二次電池に切り替える第３切り替え処理を行わせることを特徴とする実施態様１に記載の記録装置。
【００９６】
［実施態様３］
前記記録装置は動作を制御する制御回路と、前記制御回路に対して複数のクロック信号を切り替えて出力するクロック供給手段とを備え、前記制御手段は、前記クロック供給手段を切り替え、低い周波数のクロック信号を出力させることを特徴とする実施態様１に記載の記録装置。
【００９７】
［実施態様４］
前記制御手段は、前記インターフェイス電力検出手段に前記電力の有無の検出処理を行わせ、前記電力が無しであれば、前記電源切替手段に、前記二次電池から前記主電源に切り替える第４切り替え処理を行わせることを特徴とする実施態様１に記載の記録装置。
【００９８】
【発明の効果】
以上本発明により、主電源、サブ電源、ＵＳＢインターフェースを介して電力供給をうけて、動作する電子機器のスタンバイ状態における消費電力を従来以上に低減させることができる。
【図面の簡単な説明】
【図１】本発明の従来例に関係するインクジェットプリンタ装置の制御システム構成を示すブロック図
【図２】本発明の実施例に関係するインクジェットプリンタ装置の制御システム構成を示すブロック図
【図３】本発明の実施例に関係するメイン電源の詳細を示す回路構成図
【図４】電源投入後からパワーキーＯＦＦ状態での低消費電力モードに移行するまでのプリンタ装置の動作を示すフローチャート
【図５】パワーキーＯＮスタンバイ状態から低消費電力モードに移行するまでのプリンタ装置の動作を示すフローチャート
【図６】印字動作終了後から低消費電力モードに移行するまでのプリンタ装置の動作を示すフローチャート
【図７】低消費電力モード時にサスペンド信号を受信した場合のプリンタ装置の動作を示すフローチャート
【図８】インクジェットプリンタ装置の斜視図
【符号の説明】
２０１  ホストコンピュータ
２０２  インクジェットプリンタ
２０３  システム制御部
２０４  ＵＳＢ制御部
２０５  ＵＳＢ通信部
２０６  電圧検出手段
２０７  ＣＰＵ
２１０  システム制御ＩＣ
２１１  オペレーション部
２１７  メイン電源
２１８  サブ電源
２１９  電源制御手段
【図１】
2004185194.tif 000003
【図２】
2004185194.tif 000004
【図３】
2004185194.tif 000005
【図４】
2004185194.tif 000006
【図５】
2004185194.tif 000007
【図６】
2004185194.tif 000008
【図７】
2004185194.tif 000009
【図８】
2004185194.tif 000010